(57)【要約】【課題】頂板外周部から内外両筒を垂下するキャップ本体と、該キャップ本体上面へ嵌合させた蓋体とを各後部でヒンジ連結し、蓋体開蓋でキャップ本体頂壁に付設した小ノズルから液体注出可能とする蓋体付きキャップにおいて、蓋体開放操作が容易とした。【解決手段】キャップ本体外筒５の左右両側を弾性板９、９としてこれ等弾性板上部が蓋体２１閉塞時に蓋体左右両部内へ入るよう設け、又蓋体頂壁２３を半球面状に下方へ弯曲させて垂下させておき、上記両弾性板内方押込みで弾性板９、９上端が頂壁２３下面が形成する弯曲面２９を圧接しかつ摺動することで、蓋体２１を押上げ可能に形成した。【選択図】図２
2004352305.tif 000002
【特許請求の範囲】
【請求項１】
注出孔２ａを有する頂板３から、容器体口頸部外面へ嵌合させる内筒４と該内筒を囲む外筒５とを垂下し、かつ外筒上端部を小外径筒部７とするキャップ本体１と、上記注出孔閉塞部付き頂壁２３外周から周壁２４を垂設する蓋体２１とを、各後部でヒンジ連結したキャップにおいて、
上記キャップ本体外筒５の左右両部の上半部を切離しかつ上方延長して弾性板９、９とすると共に、少くとも弾性板上端部近傍の頂壁下面部分に弯曲面２９を形成し、又上記弾性板の外面と該外面が接する周壁内面とに凹凸の係合手段を設けておき、上記弾性板を内方へ弾性変形させることで、上記係合手段が外れると共に弾性板上端が弯曲面を介して蓋体を押上げ可能に形成した
ことを特徴とする蓋体付きキャップ。
【請求項２】
上記頂壁２３に形成した弯曲面２９は、半球面状に下方へ弯曲した
ことを特徴とする、請求項１記載の蓋体付きキャップ。
【請求項３】
上記キャップ本体１および蓋体２１を上方からみて左右方向に長い楕円形状とした
ことを特徴とする、請求項１又は２記載の蓋体付きキャップ。
【発明の詳細な説明】
【０００１】
【発明の属する技術分野】
本発明は液体等注出用の蓋体付きキャップに関する。
【０００２】
【従来の技術】
小ノズルを起立する頂板から容器体口頸部外面へ嵌合させる内筒と該内筒を囲む外筒とを垂下し、該外筒上端部を小外径筒部とするキャップ本体と、上記小ノズル外面へ嵌合して密閉する小筒部を下面に有する頂壁外周から周壁を垂下して、該周壁下端部を上記小外径筒部へ嵌合させた蓋体とを、各後部でヒンジ連結し、該ヒンジを中心とする回動で蓋体の開閉が自在とし、又容器体外筒の左右両上半部を外筒から切離して弾性板に形成し、これ等弾性板を内方へ押込むと蓋体頂壁の裏面から垂下させた突部の斜面へ弾性板上端から延長された先端部が圧接して、突部を介して蓋体前部を押上げするよう設けた蓋体付きキャップが知られている（特許文献１）。
【０００３】
【特許文献１】特許第３２７３３５９号公報
【０００４】
【発明が解決しようとする課題】
本発明も上記従来例のような小ノズル付きのキャップ本体後部へ、小ノズル密閉用の小筒部付き蓋体後部をヒンジ連結させて、蓋体を嵌合させたキャップに関するものであり、従来と異る機構での開蓋が容易としたものである。
【０００５】
【課題を解決するための手段】
第１の手段として、注出孔２ａを有する頂板３から、容器体口頸部外面へ嵌合させる内筒４と該内筒を囲む外筒５とを垂下し、かつ外筒上端部を小外径筒部７とするキャップ本体１と、上記注出孔閉塞部付き頂壁２３外周から周壁２４を垂設する蓋体２１とを、各後部でヒンジ連結したキャップにおいて、
上記キャップ本体外筒５の左右両部の上半部を切離しかつ上方延長して弾性板９、９とすると共に、少くとも弾性板上端部近傍の頂壁下面部分に弯曲面２９を形成し、又上記弾性板の外面と該外面が接する周壁内面とに凹凸の係合手段を設けておき、上記弾性板を内方へ弾性変形させることで、上記係合手段が外れると共に弾性板上端が弯曲面を介して蓋体を押上げ可能に形成した。
【０００６】
第２の手段として、上記第１の手段を有すると共に上記頂壁２３に形成した弯曲面２９は、半球面状に下方へ弯曲した。
【０００７】
第３の手段として、上記第１又は第２の手段を有すると共に上記キャップ本体１および蓋体２１を上方からみて左右方向に長い楕円形状とした。
【０００８】
【発明の実施の形態】
以下図面について説明すると、１はキャップ本体であり、該キャップ本体は、左右方向へ長い楕円形状としており、小ノズル２を起立する頂板３から、図２が示すように容器体口頸部の外面へ嵌合させる内筒４と該内筒４を囲んで外筒５を垂下し、外筒上端部は図１のように上向き段部６を介して小外径筒部７に形成している。内筒４は口頸部嵌合のため眞円としており、外筒５は楕円形状をなす。上記小ノズル２は半球形状をなし、その上部前面を斜面として該斜面中心に注出孔２ａを開口させている。
【０００９】
上記外筒５の左右両部は、その上半部を切離し線８で切離し、かつ該左右両部の小外径筒部分を上方延長して弾性板９、９とする。これ等弾性板の外面へは係合突条１０、１０を横設するとよい。これ等弾性板上端はその内面側を下内方へ下降する傾斜面としてその上端を巾狭に形成しており、又弾性板は内方への押込みが可能に弾性板内方の頂板部分との間に間隙１１、１１を設けている。尚１２は口頸部内面へ嵌合させるシール筒である。
【００１０】
２１は蓋体で、該蓋体はキャップ本体１の後方上部へヒンジ２２を介して連結させている。該ヒンジは弾性反転可能なヒンジで行うとよく、該ヒンジを中心とする回動により蓋体２１はキャップ本体上面へ嵌合可能に形成する。該嵌合時において、頂壁２３外周から垂下する周壁２４下部を小外径筒部７外面へ嵌合させ、又周壁下端面を上向き段部６上面へ載置可能にしている。該蓋体もキャップ本体と同様に平面楕円形状としている。
【００１１】
該蓋体は既述小ノズル２外面へ嵌合させて注出孔２ａを密閉できる小筒部２５を頂壁２３下面から垂下する。又その頂壁２３は半球面状に下方へ弯曲させている。図２が示すように蓋体閉蓋時において、既述弾性板９、９は蓋体左右両部の内面側に位置して弾性板上端は左右両部上方の頂壁部分下面へ当接ないし近接し、又このとき既述係合突条１０、１０は蓋体周壁左右両部に穿設した透孔２６ないし凹溝内へ嵌合可能としている。尚蓋体周壁２４の前面へは滑止め２７を付設しており、又該周壁の前部下部内面と、該内面に対応するキャップ本体の小外径筒部前面上部とには、凹凸の係合手段２８を設けている。
【００１２】
上記構成において、図２が示す閉蓋状態から弾性板９、９を内方へ押込みすると係合突条１０が透孔２６ないし凹溝から外れると同時に弾性板上端が蓋体頂壁下面の弯曲面２９、２９へ圧接し、かつ摺動することで蓋体を押上げる。よって該状態からヒンジ２２を中心に蓋体２１を開蓋させればよい。該開蓋状態から容器体胴部を圧搾等することで、容器体内液体を注出孔２ａから注出できる。
【００１３】
閉蓋の際はヒンジを中心に回動させて蓋体２１を戻し、キャップ本体１に対して、蓋体を押下げする。該押下げで小筒部２５は小ノズル２外面へ嵌合し、又係合突条１０、１０は透孔２６ないし凹溝内へ嵌合し、よって既述のように両弾性板９、９を内方押込みしない限り、蓋体２１を開蓋することは出来ない。
【００１４】
図４は第２実施形態を示す。該実施形態は、第１実施形態の場合のように蓋体頂壁の全体を半球面状に下方へ弯曲させるのではなく、頂壁外周部２３ａを下内方へテーパ状に弯曲させ、該外周部が囲む頂壁中央部２３ｂは、上方へ半球面状に弯曲させたものである。上記外周部２３ａの内面下端と中央部内面の下端とは弯曲させて連続させる。
【００１５】
その他部分は第１実施形態と同じであり、よって同一符号を付することで説明を省略す。
【００１６】
尚このようにすることで、蓋体周壁２４の高さを低くすることが出来る。
【００１７】
上記キャップ本体１と蓋体２１とは合成樹脂製材で一体成形させている。
【００１８】
【発明の効果】
本発明は既述構成とするもので、各請求項のようにすることで、上記両弾性板９、９を同時に押込まない限り開蓋は不能であり、よって幼児が開蓋することを確実に防止することが出来る。
【００１９】
請求項１および請求項２記載の構成とすることで、キャップ本体外筒５の左右両側に形成した弾性板９、９を外筒内方へ押込みすることでそれ等弾性板上端が蓋体頂壁２３下面の弯曲面を押上げ、蓋体２１を押上げできることとなり、よってその開蓋が容易である。
【００２０】
請求項３のように、キャップ本体１および蓋体２１を上方からみて左右方向へ長い楕円形状とすることで、キャップ本体外筒の左右両部に形成した弾性板９、９間の距離をキャップが小形であっても片手での挟持に便利な力を込め易い距離に設定することが容易となり、又それ等弾性板間上方の蓋体頂壁部分間も長くでき、よって弾性板上端上方から中間部までの頂壁２３下面の弯曲面の長さも長く設定できてその弯曲面下降角度を緩やかとすることで蓋体押上げを容易とすることが出来る。
【図面の簡単な説明】
【図１】本発明キャップを蓋体開放状態で示す斜視図である。
【図２】図１キャップの断面図である。
【図３】蓋体前部上昇状態で示す、図１キャップの斜視図である。
【図４】第２実施形態で示す、キャップの断面図である。
【符号の説明】
１…キャップ本体                    ２…小ノズル
３…頂板                                    ４…内筒
５…外筒                                    ７…小外径筒部
８…切離し線                            ９…弾性板
１０…係合突条                            ２１…蓋体
２２…ヒンジ                                ２３…頂壁
２４…周壁                                    ２５…小筒部
２６…透孔
【図１】
2004352305.tif 000003
【図２】
2004352305.tif 000004
【図３】
2004352305.tif 000005
【図４】
2004352305.tif 000006